(57)【要約】【課題】  特定のイベントの参加者に対して、効率的に宣伝・広告を行うことができる広告仲介システムを提供すること。【解決手段】  第一のクライアントコンピュータ１０１から、イベントに関する情報が入力されたイベント情報及び広告の募集要項が入力された広告募集情報をインターネット１０３を介して、サーバーコンピュータ１０４に送信し、サーバーコンピュータ１０４は、これらの情報から所定の情報を抽出してイベント広告情報を作成し、ウェブサイト上に掲載し、第二のクライアントコンピュータ１０２に公開することを特徴とする広告仲介システム１００を提供する。【選択図】    図１
2005234619.tif 000002
【特許請求の範囲】
【請求項１】
少なくとも二つ以上のクライアントコンピュータと、前記クライアントコンピュータにコンピュータネットワークを介して接続されたサーバーコンピュータと、からなる広告仲介システムであって、
一の前記クライアントコンピュータにおいて、イベントに関する情報が入力されたイベント情報及び広告の募集要項が入力された広告募集情報を前記サーバーコンピュータに送信し、
前記サーバーコンピュータは、前記イベント情報及び前記広告募集情報から所定の情報を抽出してイベント広告情報を作成し、前記コンピュータネットワークを介して他の前記クライアントコンピュータに公開することを特徴とする広告仲介システム。
【請求項２】
前記イベント情報には、前記イベントに参加する参加者に関する参加者情報が含まれており、
前記イベント広告情報には、前記参加者情報が含まれていることを特徴とする請求項１に記載の広告仲介システム。
【請求項３】
前記イベントが過去に少なくとも一回以上行われたものである場合には、前記参加者情報には、過去に行われた前記イベントに参加した参加者の人数情報が含まれていることを特徴とする請求項２に記載の広告仲介システム。
【請求項４】
前記イベントが過去に少なくとも一回以上行われたものである場合には、前記参加者情報には、過去に行われた前記イベントに参加した参加者の人数情報に基づいて予想される参加予定者の人数情報が含まれていることを特徴とする請求項２又は３に記載の広告仲介システム。
【請求項５】
前記イベントが過去に少なくとも一回以上行われたものである場合には、前記参加者情報には、過去に行われた前記イベントに参加した参加者に関する属性情報が含まれていることを特徴とする請求項２乃至４の何れか一項に記載の広告仲介システム。
【請求項６】
前記イベントが過去に少なくとも一回以上行われたものである場合には、前記参加者情報には、過去に行われた前記イベントに参加した参加者に関する属性情報に基づいて予想される参加予定者の属性情報が含まれていることを特徴とする請求項２乃至５の何れか一項に記載の広告仲介システム。
【請求項７】
前記属性情報は、最多年齢層、多い方の性別、最多出身地又は共通する嗜好の内少なくともいずれか一種以上であることを特徴とする請求項５又は６に記載の広告仲介システム。
【請求項８】
前記イベント情報には、前記イベントの内容を解説した解説情報が含まれていることを特徴とする請求項１乃至７の何れか一項に記載の広告仲介システム。
【請求項９】
コンピュータを、請求項１乃至８の何れか一項に記載のサーバーコンピュータとして機能させるためのプログラム。
【請求項１０】
一のクライアントコンピュータにおいて、イベントに関する情報が入力されたイベント情報及び広告の募集要項が入力された募集情報を作製する第一の過程と、
一の前記クライアントコンピュータから、コンピュータネットワークを介して、前記イベント情報及び前記広告募集情報をサーバーコンピュータに送信する第二の過程と、
前記サーバーコンピュータにおいて、前記イベント情報及び前記広告募集情報から所定の情報を抽出してイベント広告情報を作成する第三の過程と、
前記サーバーコンピュータにおいて、前記コンピュータネットワークを介して、前記イベント広告情報を他のクライアントコンピュータに公開する第四の過程と、
を備えることを特徴とする広告仲介方法。
【請求項１１】
前記イベント情報には、前記イベントに参加する参加者に関する参加者情報が含まれており、
前記イベント広告情報には、前記参加者情報が含まれていることを特徴とする請求項１０に記載の広告仲介方法。
【請求項１２】
前記イベントが過去に少なくとも一回以上行われたものである場合には、前記参加者情報には、過去に行われた前記イベントに参加した参加者の人数情報が含まれていることを特徴とする請求項１１に記載の広告仲介方法。
【請求項１３】
前記イベントが過去に少なくとも一回以上行われたものである場合には、前記参加者情報には、過去に行われた前記イベントに参加した参加者の人数情報に基づいて予想される参加予定者の人数情報が含まれていることを特徴とする請求項１１又は１２に記載の広告仲介方法。
【請求項１４】
前記イベントが過去に少なくとも一回以上行われたものである場合には、前記参加者情報には、過去に行われた前記イベントに参加した参加者に関する属性情報が含まれていることを特徴とする請求項１１乃至１３の何れか一項に記載の広告仲介方法。
【請求項１５】
前記イベントが過去に少なくとも一回以上行われたものである場合には、前記参加者情報には、過去に行われた前記イベントに参加した参加者に関する属性情報に基づいて予想される参加予定者の属性情報が含まれていることを特徴とする請求項１１乃至１３の何れか一項に記載の広告仲介方法。
【請求項１６】
前記属性情報は、最多年齢層、多い方の性別、最多出身地又は共通する嗜好の内少なくともいずれか一種以上であることを特徴とする請求項１４又は１５に記載の広告仲介方法。
【請求項１７】
前記イベント情報には、前記イベントの内容を解説した解説情報が含まれていることを特徴とする請求項１１乃至１６の何れか一項に記載の広告仲介方法。
【発明の詳細な説明】
【技術分野】
【０００１】
本発明は、広告仲介システム及び広告仲介方法に関し、特に、コンピュータネットワークを介した広告仲介システム及び広告仲介方法に関する。
【背景技術】
【０００２】
従来から、製品の販売やサービスの提供にあたって、宣伝広告が広く一般的に行われている。
【０００３】
そして、近年のコンピュータ関連技術の進歩により、コンピュータネットワークが爆発的に拡大しており、このようなコンピュータネットワークの利用者に対して、コンピュータネットワークを介して、製品やサービスの広告が広く行われるようになっている（例えば、特許文献１又は特許文献２参照）。
【特許文献１】特開２００３−１９６５３３号公報
【特許文献２】特開２００３−１５０８４３号公報
【発明の開示】
【発明が解決しようとする課題】
【０００４】
しかしながら、従来行われているようなコンピュータネットワーク上での広告では、不特定多数の利用者に対して行われているため、すなわち、広告の対象となる製品やサービスを本当に望んでいる利用者に対して効率的に行われているとはいえないため、効率的に宣伝効果を上げることはできなかった。
【０００５】
この点、各地で行われているイベントについては、そのようなイベントに興味を持つ特定の嗜好等の属性を有する者が多数集まるため、そのような属性に合致した宣伝・広告を行うことにより、効率的に宣伝効果を上げることができるものと考えられる。
【０００６】
そこで、本発明は、特定のイベントの参加者に対して、効率的に宣伝・広告を行うことができる広告仲介システム及び広告仲介方法を提供する。
【課題を解決するための手段】
【０００７】
以上のような課題を解決するため、本発明は、少なくとも二つ以上のクライアントコンピュータと、前記クライアントコンピュータにコンピュータネットワークを介して接続されたサーバーコンピュータと、からなる広告仲介システムであって、一の前記クライアントコンピュータにおいて、イベントに関する情報が入力されたイベント情報及び広告の募集要項が入力された広告募集情報を前記サーバーコンピュータに送信し、前記サーバーコンピュータは、前記イベント情報及び前記広告募集情報から所定の情報を抽出してイベント広告情報を作成し、前記コンピュータネットワークを介して他の前記クライアントコンピュータに公開することを特徴とする広告仲介システムを提供する。
【０００８】
このように、イベントの主催者が一のクライアントコンピュータにおいて作成したイベント情報と広告募集情報から所定の情報を抽出したイベント広告情報を他のクライアントコンピュータに公開することにより、広告主側は他のクライアントコンピュータを用いてイベントの参加者に応じた広告を選択することができるようになり、効率的に宣伝広告効果を上げることができるようになる。
【０００９】
ここで、一のクライアントコンピュータにおいて入力するイベント情報には、イベントに参加する参加者に関する参加者情報が含まれており、サーバーコンピュータにおいて作成するイベント広告情報に、この参加者情報を含めておくことにより、広告主側において適切に参加者に関する情報を入手することができるようになる。
【００１０】
開催されるイベントが過去に少なくとも一回以上行われたものである場合には、この参加者情報には、過去に行われたイベントに参加した参加者の人数情報を含めておくことにより、開催されるイベントの参加予定者の人数を把握することができるようになる。
【００１１】
なお、開催されるイベントが過去に少なくとも一回以上行われたものである場合には、この参加者情報には、過去に行われたイベントに参加した参加者の人数情報に基づいて予想される参加予定者の人数情報が含まれているようにすることが望ましい。
【００１２】
また、開催されるイベントが過去に少なくとも一回以上行われたものである場合には、この参加者情報には、過去に行われたイベントに参加した参加者に関する属性情報が含まれていることで、広告主側においてこの属性情報に合わせた広告を選択して行うことができるようになる。
【００１３】
なお、開催されるイベントが過去に少なくとも一回以上行われたものである場合には、この参加者情報には、過去に行われたイベントに参加した参加者に関する属性情報に基づいて予想される参加予定者の属性情報が含まれていることが望ましい。
【００１４】
ここで、この属性情報は、最多年齢層、多い方の性別、最多出身地又は共通する嗜好の内少なくともいずれか一種以上とすることにより、広告主側において適切に参加予定者の属性を把握することができるようになる。
【００１５】
また、イベント情報には、イベントの内容を解説した解説情報を含めておくことで、広告主側がイベントの内容を容易に把握することができるようになる。
【００１６】
なお、以上に記載した広告仲介システムについては、コンピュータを、以上に記載したサーバーコンピュータとして機能させるためのプログラムを提供することにより構築することも可能である。
【００１７】
また、本発明は、一のクライアントコンピュータにおいて、イベントに関する情報が入力されたイベント情報及び広告の募集要項が入力された募集情報を作製する第一の過程と、一の前記クライアントコンピュータから、コンピュータネットワークを介して、前記イベント情報及び前記広告募集情報をサーバーコンピュータに送信する第二の過程と、前記サーバーコンピュータにおいて、前記イベント情報及び前記広告募集情報から所定の情報を抽出してイベント広告情報を作成する第三の過程と、前記サーバーコンピュータにおいて、前記コンピュータネットワークを介して、前記イベント広告情報を他のクライアントコンピュータに公開する第四の過程と、を備えることを特徴とする広告仲介方法を提供する。
【００１８】
このように、イベントの主催者側が一のクライアントコンピュータで作成したイベント情報と募集情報から所定の情報を抽出したイベント広告情報を他のクライアントコンピュータに公開することにより、広告主側は他のクライアントコンピュータを用いてイベントの参加者に応じた広告を選択することができるようになり、効率的に宣伝広告効果を上げることができるようになる。
【００１９】
ここで、一のクライアントコンピュータにおいて入力するイベント情報には、イベントに参加する参加者に関する参加者情報が含まれており、サーバーコンピュータにおいて作成するイベント広告情報に、この参加者情報を含めておくことにより、広告主側において適切に参加者に関する情報を入手することができるようになる。
【００２０】
開催されるイベントが過去に少なくとも一回以上行われたものである場合には、この参加者情報には、過去に行われたイベントに参加した参加者の人数情報を含めておくことにより、開催されるイベントの参加予定者の人数を把握することができるようになる。
【００２１】
なお、開催されるイベントが過去に少なくとも一回以上行われたものである場合には、この参加者情報には、過去に行われたイベントに参加した参加者の人数情報に基づいて予想される参加予定者の人数情報が含まれているようにすることが望ましい。
【００２２】
また、開催されるイベントが過去に少なくとも一回以上行われたものである場合には、この参加者情報には、過去に行われたイベントに参加した参加者に関する属性情報が含まれていることで、広告主側においてこの属性情報に合わせた広告を選択して行うことができるようになる。
【００２３】
なお、開催されるイベントが過去に少なくとも一回以上行われたものである場合には、この参加者情報には、過去に行われたイベントに参加した参加者に関する属性情報に基づいて予想される参加予定者の属性情報が含まれていることが望ましい。
【００２４】
ここで、この属性情報は、最多年齢層、多い方の性別、最多出身地又は共通する嗜好の内少なくともいずれか一種以上とすることにより、広告主側において適切に参加予定者の属性を把握することができるようになる。
【００２５】
また、イベント情報には、イベントの内容を解説した解説情報を含めておくことで、広告主側がイベントの内容を容易に把握することができるようになる。
【００２６】
さらに、このような解説情報を掲載することで、アクセス数の増加を図ることも可能であり、また、アクセス数の増加によって、広告主側としては広告効果の増大も図ることができる。
【発明の効果】
【００２７】
以上のように、本発明によれば、広告主側にイベントの参加者に関する情報が公開されるため、このイベントの参加者に対して、効率的に宣伝・広告を行うことができるようになる。
【発明を実施するための最良の形態】
【００２８】
図１は、本発明の一実施形態に係る広告仲介システム１００の概略構成図である。
【００２９】
本実施形態に係る広告仲介システム１００は、一のクライアントコンピュータとしての第一のクライアントコンピュータ１０１と、他のクライアントコンピュータとしての第二のクライアントコンピュータ１０２と、これらの第一のクライアントコンピュータ１０１及び第二のクライアントコンピュータ１０２にインターネット１０３を介して接続されたサーバーコンピュータ１０４と、により構成されている。
【００３０】
第一のクライアントコンピュータ１０１及び第二のクライアントコンピュータ１０２は、インターネット１０３を介してサーバーコンピュータ１０４と相互に通信可能なウェブブラウザを実行可能なものであればよく、例えば、パーソナルコンピュータ、インターネット通信機能付き携帯電話、ＰＤＡ（Personal Digital Assistant）等を使用することができる。
【００３１】
サーバーコンピュータ１０４は、ＣＰＵ（Central Processing Unit）１０５と、メインメモリ１０６と、補助メモリ１０７と、を備えている。
【００３２】
サーバーコンピュータ１０４の補助メモリ１０７には、ウェブサイトデータ記憶領域１０７ａが設けられており、第一のクライアントコンピュータ１０１又は第二のクライアントコンピュータ１０２から接続要求があった場合には、ウェブサイトデータ記憶領域１０７ａに記憶されているウェブサイトデータを第一のクライアントコンピュータ１０１又は第二のクライアントコンピュータ１０２に送信し、第一のクライアントコンピュータ１０１又は第二のクライアントコンピュータ１０２はウェブブラウザを介して、このウェブサイトデータを開くことができるようにされている。
【００３３】
そして、第一のクライアントコンピュータ１０１又は第二のクライアントコンピュータ１０２のウェブブラウザで開かれたウェブサイト１１０は、図２（ウェブサイト１１０の概略構成図）に表されているような構成を有している。
【００３４】
まず、第一のクライアントコンピュータ１０１又は第二のクライアントコンピュータ１０２のウェブブラウザで開かれたウェブサイト１１０は、まず、トップページ１１１が表示されるようになっている。
【００３５】
このトップページ１１１からは、イベント情報入力ページ１１２、イベント広告情報公開ページ１１３及び広告申込用ページ１１４へと進むことができるようになっている。
【００３６】
なお、広告申込用ページ１１４へはイベント広告情報公開ページ１１３からも進むことができるようになっている。
【００３７】
また、取引の安全性や情報の確実性を考慮して、イベント情報入力ページ１１２及び広告申込用ページ１１４に進むためには、予め定められたＩＤ及びパスワードを入力しなければならないようにしている。
【００３８】
イベント情報入力ページ１１２には、図３（イベント情報入力ページ１１２の概略構成図）で表されているように、イベント情報入力欄１１３と広告募集要項入力欄１１４とが設けられている。
【００３９】
イベント情報入力欄１１３には、主催者１１３ａ、イベント名１１３ｂ、日時１１３ｃ、会場１１３ｄ、住所１１３ｅ、料金１１３ｆ、ＴＥＬ１１３ｇ、ｗｅｂアドレス１１３ｈ、メールアドレス１１３ｉ、嗜好特性１１３ｊ、年齢特性１１３ｋ、性別特性１１３ｌ、地域特性１１３ｍ、前回入場者数１１３ｎ及び今回予想人数１１３ｏの各入力項目が設けられている。
【００４０】
主催者１１３ａの入力項目には、イベントの主催者名、共催者名、協賛社名等の主催者に関する事項を入力する。
【００４１】
イベント名１１３ｂの入力項目には、開催するイベントの名称を入力する。
【００４２】
日時１１３ｃの入力項目には、イベントの開催日時を入力する。
【００４３】
会場１１３ｄの入力項目には、イベントが開催される会場の名称を入力する。
【００４４】
住所１１３ｅの入力項目には、イベントが開催される会場の住所を入力する。
【００４５】
料金１１３ｆの入力項目には、イベントへの参加料金に関する事項を入力する。
【００４６】
ＴＥＬ１１３ｇの入力項目には、イベントに関する問い合わせ先の電話番号を入力する。
【００４７】
ｗｅｂアドレス１１３ｈの入力項目には、イベントについてのホームページのアドレスを入力する。
【００４８】
メールアドレス１１３ｉの入力項目には、イベントに関する問い合わせ先のメールアドレスを入力する。
【００４９】
以上に記載した入力項目がイベントに関する詳細を入力する項目で、以下に記載する入力項目が、イベントに参加する参加者に関する参加者情報である。
【００５０】
嗜好特性１１３ｊの入力項目には、開催するイベントに参加する参加予定者に共通する嗜好について入力する。
【００５１】
例えば、開催するイベントが、サッカーの試合である場合には、ホームチームやアウェーチームのサポーターである等の情報を入力する。
【００５２】
また、開催するイベントが、写真展である場合には、写真の被写体（例えば、アイドルや動物等）のファンである等の情報を入力する。
【００５３】
ここで、開催するイベントが過去において一回以上開催したことのあるものである場合には、嗜好特性１１３ｊの入力項目には、過去の開催時のデータを基に入力することが望ましい。
【００５４】
年齢特性１１３ｋの入力項目には、開催するイベントに参加する参加予定者の内、最も多いと予想される年齢層について入力する。
【００５５】
例えば、開催するイベントが野球の試合である場合には、平日には３０歳代、４０歳代が中心となるであろうし、休日には、親子連れが多いと予想されるため、１０歳台未満、３０歳代、４０歳代が中心となると考えられる。
【００５６】
なお、開催するイベントが過去において一回以上開催したことのあるものである場合には、年齢特性１１３ｋの入力項目には、過去の開催時のデータを基に入力することが望ましい。
【００５７】
性別特性１１３ｌの入力項目には、開催するイベントに参加する参加予定者の内、多い方の性別を入力する。
【００５８】
例えば、開催するイベントが女性アイドルのコンサートである場合には、男性が大半を占めると考えられるため、男性と入力する。
【００５９】
なお、開催するイベントが過去において一回以上開催したことのあるものである場合には、性別特性１１３ｌの入力項目には、過去の開催時のデータを基に入力することが望ましい。
【００６０】
地域特性１１３ｍの入力項目には、開催するイベントに参加する参加予定者の出身地域の内、最も多いと考えられる地域名を入力する。
【００６１】
例えば、開催するイベントがサッカーの試合である場合には、ホームチームが所属する地方の出身者最も多いと考えられるため、その地方の名称を入力する。
【００６２】
なお、開催するイベントが過去において一回以上開催したことのあるものである場合には、地域特性１１３ｍの入力項目には、過去の開催時のデータを基に入力することが望ましい。
【００６３】
前回入場者数１１３ｎの入力項目には、開催するイベントが過去において一回以上開催したことのあるものである場合に、前回開催したときの参加者の人数を入力する。
【００６４】
なお、今回初めて開催する場合には、この項目には入力することを要しない。
【００６５】
今回予想人数１１３ｏの入力項目には、開催するイベントに参加する参加予定者の人数を入力する。
【００６６】
なお、開催するイベントが過去において一回以上開催したことのあるものである場合には、今回予想人数１１３ｏの入力項目には、過去の開催時のデータを基に入力することが望ましい。
【００６７】
広告募集要項入力欄１１４には、広告の内容１１４ａ、金額１１４ｂ、枠数１１４ｃ及び締め切り１１４ｄの各入力項目が設けられている。
【００６８】
広告の内容１１４ａの入力項目には、チラシ、ダイレクトメール、電子メール等の広告の媒体、広告のサイズ、等の広告の形態に関する詳細を入力する。
【００６９】
例えば、広告の媒体がチラシである場合には、チラシ全体のサイズ、広告欄のサイズ、チラシの中の広告の位置、チラシの枚数、チラシの配布場所等について入力する。
【００７０】
金額１１４ｂの入力項目には、開催するイベントで行う広告の料金を入力する。
【００７１】
枠数１１４ｃの入力項目には、募集する広告主の数について入力する。
【００７２】
締め切り１１４ｄの入力項目には、広告を募集している期限について入力する。
【００７３】
以上に記載したイベント情報入力欄１１３に入力された情報はイベント情報として、広告募集要項入力欄１１４に入力された情報は広告募集情報として、送信指令を出すことによりインターネット１０３を介して、サーバーコンピュータ１０４に送信され、サーバーコンピュータ１０４は、補助メモリ１０７のウェブサイトデータ記憶領域１０７ａに記憶する。
【００７４】
また、サーバーコンピュータ１０４は、記憶したイベント情報及び広告募集情報を適時配列した一覧表を作成し、イベント広告情報としてイベント広告情報公開ページ１１３において公開する。
【００７５】
公開されたイベント広告情報は、第二のクライアントコンピュータ１０２において観覧することができ、広告の募集に応じる広告主は、所定のＩＤ及びパスワードを入力することにより広告申込用ページ１１４に進み、広告申込用ページ１１４から広告の申し込みをすることができるようにしている。
【００７６】
なお、広告申込用ページ１１４については、広告の申し込みをすることができるようにしていればどのようなものであってもよいが、例えば、広告を申し込むイベントを識別することができる識別標識とともに、広告主の名前・名称及び連絡先を入力することできる欄を設けておき、これらの欄に所定の事項を入力後、サーバーコンピュータ１０４に送信することができるようにしておくことができる。
【００７７】
以上のように構成される広告仲介システム１００におけるイベント広告情報の公開方法について、図４（広告仲介システム１００におけるイベント広告情報の公開方法を表すフローチャート）を参照して説明する。
【００７８】
イベントの主催者は、第一のクライアントコンピュータ１０１のウェブブラウザから、サーバーコンピュータ１０４に接続要求を出す（Ｓ２２０）。
【００７９】
第一のクライアントコンピュータ１０１から接続要求があったサーバーコンピュータ１０４は、第一のクライアントコンピュータ１０１にウェブサイトデータを送信する（Ｓ２２１）。
【００８０】
イベントの主催者は、第一のクライアントコンピュータ１０１のウェブブラウザに表示されたウェブサイトのトップページ１１１からイベント情報入力ページ１１２に進む（Ｓ２２２）。
【００８１】
このときには、イベントの主催者毎に割り当てられているＩＤとパスワードの入力が求められるので、これらを所定の入力欄に入力する。
【００８２】
イベント情報入力ページ１１２に設けられているイベント情報入力欄１１３と広告募集要項入力欄１１４に所定の事項を入力し（Ｓ２２３）、サーバーコンピュータ１０４に送信する（Ｓ２２４）。
【００８３】
サーバーコンピュータ１０４は、イベント情報入力欄１１３に入力された情報はイベント情報として、広告募集要項入力欄１１４に入力された情報は広告募集情報として、補助メモリ１０７のウェブサイトデータ記憶領域１０７ａに記憶するとともに（Ｓ２２５）、これらのイベント情報及び広告募集情報を適切に配置して、イベント広告情報を作成して（Ｓ２２６）、イベント広告情報公開ページ１１３に掲載する（Ｓ２２７）。
【００８４】
なお、このようにして掲載されたイベント広告情報は第二のクライアントコンピュータ１０２のウェブブラウザを用いて見ることができ、また、広告申込用ページ１１４から広告の申し込みをすることもできるようになっている。
【００８５】
以上に記載した実施形態においては、第一のクライアントコンピュータ１０１及び第二のクライアントコンピュータ１０２の二つのクライアントコンピュータを設けているが、この数については、任意の数を選択することができる。
【００８６】
また、イベント情報入力欄１１３には、主催者１１３ａ、イベント名１１３ｂ、日時１１３ｃ、会場１１３ｄ、住所１１３ｅ、料金１１３ｆ、ＴＥＬ１１３ｇ、ｗｅｂアドレス１１３ｈ、メールアドレス１１３ｉ、嗜好特性１１３ｊ、年齢特性１１３ｋ、性別特性１１３ｌ、地域特性１１３ｍ、前回入場者数１１３ｎ及び今回予想人数１１３ｏの各入力項目が設けられているが、これらの項目に限られるわけではなく、イベントの詳細及び参加者に関する情報を提供することができる範囲で、適時項目を追加又は削除することができ、さらに、項目名はこれらの項目名に限定されない。
【００８７】
例えば、イベント情報入力欄１１３に、イベントの内容を解説した解説情報を入力する「イベント解説」という項目を含めておくことで、広告主側にイベントの内容を詳述に解説するようにすることも可能である。
【００８８】
この、「イベント解説」の項目としては、例えば、開催するイベントがサッカーの試合である場合には、対戦するサッカーチームの勝率、前年度の順位、今年度の順位、勝率、その他有名選手の情報やけが人の状況等を入力することができるようにしておくことが望ましい。
【００８９】
なお、広告募集要項入力欄１１４についても、広告の内容１１４ａ、金額１１４ｂ、枠数１１４ｃ及び締め切り１１４ｄの各入力項目が設けられているが、これらの項目に限られるわけではなく、広告の募集をすることができる範囲で、適時項目を追加又は削除することができ、項目名についてもこれらの項目名に限定されない。
【図面の簡単な説明】
【００９０】
【図１】広告仲介システム１００の概略構成図。
【図２】ウェブサイト１１０の概略構成図。
【図３】イベント情報入力ページ１１２の概略構成図。
【図４】広告仲介システム１００におけるイベント広告情報の公開方法を表すフローチャート。
【符号の説明】
【００９１】
１００  広告仲介システム
１０１  第一のクライアントコンピュータ
１０２  第二のクライアントコンピュータ
１０３  インターネット
１０４  サーバーコンピュータ
【図１】
2005234619.tif 000003
【図２】
2005234619.tif 000004
【図３】
2005234619.tif 000005
【図４】
2005234619.tif 000006